(57)【特許請求の範囲】
【請求項１】
天井に埋設される筐体と、室内の空気を吸込む吸込口と室内へ空気を吹出す吹出口とを有し前記筐体の底部に設けられた化粧パネルと、前記吹出口に設けられ前記吸込口側の一端が回転軸により回動して風向制御する風向板と、前記回転軸を支持する軸受とを備えた空気調和機の室内機において、
前記化粧パネルに設けられ前記吹出口と前記回転軸との隙間を塞ぐと共に、前記風向板の開度が大きくなるほど前記風向板の端面が押付けられるシール部材を備え、
前記風向板は、前記シール部材から受ける力の向きに前記軸受を移動させることを特徴とする空気調和機の室内機。
【請求項２】
請求項１において、前記軸受は前記シール部材から受ける力を吸収する弾性部材を備えることを特徴とする空気調和機の室内機。
【請求項３】
請求項２において、前記弾性部材は前記軸受と前記化粧パネルとの間に備えられることを特徴とする空気調和機の室内機。
【請求項４】
請求項２において、前記軸受は複数の前記弾性部材に挟まれることを特徴とする空気調和機の室内機。
【請求項５】
請求項４において、複数の前記弾性部材を一体成形の部材とすることを特徴とする空気調和機の室内機。
【発明の詳細な説明】
【技術分野】
【０００１】
本発明は、空気調和機の室内機に関する。
【背景技術】
【０００２】
従来から、天井に埋設される筐体と、室内の空気を吸込む吸込口と室内へ空気を吹出す吹出口とを有し筐体の底部に設けられた化粧パネルと、吹出口に設けられ吸込口側の一端が回転軸により回動して風向制御する風向板とを備えた空気調和機の室内機が知られている。
【０００３】
例えば特開２００１−１７４０４３号公報には、風向変更板の支軸部を、同風向変更板の後端部両側に突設された支軸と、化粧パネルの表面近傍に設けられた軸受とで構成することで、吹出口から送出される吹出空気流が吸込口へショートサーキットしないことが開示されている。
【先行技術文献】
【特許文献】
【０００４】
【特許文献１】特開２００１−１７４０４３号公報
【発明の概要】
【発明が解決しようとする課題】
【０００５】
しかしながら、特許文献１では、風向板が軸回りに回転運動することで、風向板の回転角度に応じて風向板の後端部と化粧パネルとの隙間が変化することについて十分考慮していない。例えばスポンジ状のシール部材を風向板と接触させ、吹出口と風向板との隙間をなくすことで、その隙間を通り風向板の下側を流れる空気を遮断する方法が考えられる。しかし、風向板が軸回りに回転運動することで弾性体が風向板と接触，圧縮されるため反発力が発生し、図５に示すように反発力を受けた風向板４を変形させてしまうことになる。
【０００６】
本発明の目的は、シール部材を備えた場合でも風向板を変形しにくくすることにある。
【課題を解決するための手段】
【０００７】
本発明は、上記目的を達成するため、天井に埋設される筐体と、室内の空気を吸込む吸込口と室内へ空気を吹出す吹出口とを有し前記筐体の底部に設けられた化粧パネルと、前記吹出口に設けられ前記吸込口側の一端が回転軸により回動して風向制御する風向板と、前記回転軸を支持する軸受とを備えた空気調和機の室内機において、前記化粧パネルに設けられ前記吹出口と前記回転軸との隙間を塞ぐと共に、前記風向板の開度が大きくなるほど前記風向板の端面が押付けられるシール部材を備え、前記風向板は、前記シール部材から受ける力の向きに前記軸受を移動させることを特徴とする。
【発明の効果】
【０００８】
本発明によれば、シール部材を備えた場合でも風向板を変形しにくくすることができる。
【図面の簡単な説明】
【０００９】
【図１】本発明の第１の形態を適用してなる空気調和機の室内機を示す図である。
【図２】本発明を適用してなる空気調和機の室内機の吹出口部分の拡大断面図である。
【図３】風向板に軸受を取り付けた部分の拡大図である。
【図４】本発明の第２の形態を適用してなる空気調和機の室内機を示す拡大図である。
【図５】従来例に係る風向板の変形例を示す図である。
【発明を実施するための形態】
【００１０】
以下、本発明の実施の形態について、図を用いて説明する。
【実施例１】
【００１１】
図１は、本発明の第１の形態を適用してなる空気調和機の室内機の構成図を示している。  
空気調和機の室内機は、化粧パネル１と、化粧パネル１の上部に設けられ天井に埋設される筐体２とから構成されている。化粧パネル１は吸込口（吸込みグリル）３を備え、その周囲に風向板４を備えた吹出口５が形成されている。筐体２内には、熱交換器６，モータ７等の駆動源，送風機８が設置されている。送風機８を駆動することで、図中の矢印で示す空気流れ９のように、室内空気は吸込口３から送風機８に吸込まれ、熱交換器６で熱交換された後、吹出口５から再び室内に吹き出される。
【００１２】
風向板４は吸込口３の一辺に沿った長辺と、空気の吹出方向である短辺とを有し、吹出口５に設けられ、風向板４の吸込口３側となる一端が回転軸１５により回動することで風向制御する。風向板４は吸込口３側で回動する片持ち構造であり、吹出口５と回転軸１５との間の隙間を塞ぐシール部材１１を備え、このシール部材１１は風向板４の長辺にわたって設けられることで、風向板４の吸込口３側の一端を流れる空気が遮断され、空気は風向板４の上面（天井側）にのみ沿って流れ、風向板４の下面側（床側）に空気が流れない。これにより、風向板４の下面を冷やすことがなく、結露を抑えることができる。
【００１３】
図２は、本実施形態の室内機の吹出口部分の拡大断面図、図３は、風向板に軸受を取り付けた部分の拡大図である。  
図２の軸受部詳細に、軸受１２と弾性部材１３とねじ１４の分解図を示す。回転軸１５の十字中心が風向板４の回転中心となる。
【００１４】
図３の（ａ）は、軸受１２に弾性部材１３を取り付け、風向板４が閉じた状態を示す。風向板４が閉じている、又は開度が小さい状態では、シール部材１１は、風向板４の回転軸１５及びその下部となる端面１６と接触することで、風向板４の吸込口３側となる長辺部分から漏れる空気を遮断する。しかし、風向板４の開度が大きくなると、回転軸１５を支点として風向板４の端面１６がシール部材１１に押付けられてシール部材１１の変形量も大きくなる。
【００１５】
図３の（ｂ）は、軸受１２に弾性部材１３が取り付けられていない風向板４の開度を大きくした状態を示す。シール部材１１の変形量が大きくなるとシール部材１１の反発力も大きくなるので、反発力を受ける風向板４が撓んで変形してしまう。風向板４は短辺それぞれ（風向板４の両脇）に回転軸１５を有し、回転軸１５は軸受１２に覆われて支持されるので、風向板４の回動する際に風向板４は長辺方向の端ほど変形しにくく、真ん中部分が特に大きく変形する。
【００１６】
図３の（ｃ）は、軸受１２に弾性部材１３が取り付けられた風向板４の開度を大きくした状態を示す。本実施形態では、回転軸１５のどちらか片端を駆動軸とし、もう一方の反駆動軸側の軸受１２をゴム等の弾性部材１３を用いて、軸受１２が回転軸１５の径方向に動けるように（化粧パネル１との相対位置が変わるように）軸受１２を弾性支持している。風向板４がシール部材１１から受ける反発力に応じて、弾性部材１３がその反発力を吸収するように歪む。弾性部材１３の歪んだ分だけ軸受１２も移動する。図では、軸受１２が元の位置から右下に移動している。つまり、風向板４が回動する場合に、回転軸１５を支持する軸受１２そのものを風向板４がシール部材１１から受ける力の方向に移動させることで、風向板４を変形しにくくすることができる。
【００１７】
軸受１２は化粧パネル１に設けられるが、軸受１２が動けるように軸受１２は弾性部材（第１の弾性部材）１３ａを介して化粧パネル１に支持される。軸受１２と化粧パネル１との間に弾性部材１３ａを備えていれば、少なくとも軸受１２が動くことができる。軸受１２は外側からねじ１４で締められるが、軸受１２とねじ１４との間にも弾性部材（第２の弾性部材）１３ｂを備えることで軸受１２の上下方向に尤度が生じるので、より大きなシール部材１１の反発力が生じても弾性部材１３ａ，１３ｂにより適度に吸収でき、より大きな風向板４の変形を抑制することができる。
【実施例２】
【００１８】
図４は、本発明の第２の実施形態を拡大図で示している。図において、化粧パネル１と軸受１２との間の弾性部材と、軸受１２とねじ１４との間の弾性部材とが一体成形されている。例えば弾性部材１３は、全周に凹状の溝が設けられており、軸受１２の固定穴に差し込めるようにしてある。このような構成とすることで、部品数を削減できると共に、前記のような効果を得ることが可能となる。
【符号の説明】
【００１９】
１  化粧パネル
２  筐体
３  吸込口（吸込みグリル）
４  風向板
５  吹出口
６  熱交換器
７  モータ
８  送風機
９，１０  空気流れ
１１  シール部材
１２  軸受
１３  弾性部材
１３ａ  第１の弾性部材
１３ｂ  第２の弾性部材
１４  ねじ
１５  回転軸
１６  端面
【図１】
0005542736.tif 000002
【図２】
0005542736.tif 000003
【図３】
0005542736.tif 000004
【図４】
0005542736.tif 000005
【図５】
0005542736.tif 000006